(57)【要約】【課題】  多くの加熱食品を効率的に加熱保温して非加熱食品と共に素早く配膳を行うことができ、また、イニシャルコスト及びランニングコストの面でも有利で、しかも、食器としての外観や衛生面で問題が生じることもない食品加熱配膳器具及び食品加熱配膳方法を提供すること。【解決手段】  加熱容器２・２を固定したトレーフレーム１を、通気孔の位置が上下で左右反対となるように積み重ねて、熱気供給装置４から熱気を送り込んだとき、下段のトレーフレーム１内を回流して充満した熱気が反対側のトレーフレーム１の通気孔から上段へと上昇することにより、段積みフレームの内部温度をムラなく上昇可能とすると共に、前記各加熱容器２内の加熱食品Ｐが加熱終了して前記段積みフレームＦから取り外したときには、各トレーフレーム１の通気孔に前記非加熱容器３を落とし込み装着して配膳可能にした。【選択図】  図１
2011036298.tif 000002
【特許請求の範囲】
【請求項１】
囲い枠11の内側に中板12を備えると共に、この中板12の左右前後の何れかの辺或いは弧の近傍には通気孔12aが形成され、かつ、前記囲い枠11を密閉状態で上下に積み重ね可能なトレーフレーム１と；前記トレーフレーム１の中板12に固定された、或いは中板12の開口部12bに落とし込んで装着可能な、加熱食品Ｐが収容される加熱容器２と；前記トレーフレーム１の中板12の通気孔12aに落とし込んで装着可能な、非加熱食品Ｑが収容される非加熱容器３と；前記トレーフレーム１・１…を積み重ねた段積みフレームＦが装着されて、前記段積みフレームＦの最下段フレーム内に加熱した熱気を供給する熱気供給装置４とを含んで構成され、
前記加熱容器２・２を固定したトレーフレーム１を、通気孔12aの位置が上下で左右反対または対角位置となるように積み重ねて、熱気供給装置４から熱気を送り込んだとき、下段のトレーフレーム１内を回流して充満した熱気が反対側のトレーフレーム１の通気孔12aから上段へと上昇することにより、段積みフレームＦの内部温度をムラなく上昇させることが可能であり、かつ、前記各加熱容器２内の加熱食品Ｐが加熱終了して前記段積みフレームＦから取り外したときには、各トレーフレーム１の通気孔12aに前記非加熱容器３を落とし込み装着して配膳することを特徴とする食品加熱配膳器具。
【請求項２】
熱気供給装置４に、段積みフレームＦ内の熱気を最上段フレームから強制的に吸い上げる強制排気機構42を設けて、段積みフレームＦの内部温度をムラなく上昇可能としたことを特徴とする請求項１記載の食品加熱配膳器具。
【請求項３】
熱気供給装置４に、段積みフレームＦ内から排気された熱気を加熱源へと循環せしめる熱気循環路43を設けて、熱気の生成効率を向上可能としたことを特徴とする請求項１または２に記載の食品加熱配膳器具。
【請求項４】
トレーフレーム１の下端部に左右非対称の高台部11bを設けると共に、上端部には逆向きにした別のトレーフレーム１の高台部11bを嵌め合わせ装着できる嵌合縁部11cを設けることにより、トレーフレーム１の向きを間違えずに積み重ね可能としたことを特徴とする請求項１〜３の何れか一つに食品加熱配膳器具。
【請求項５】
トレーフレーム１の囲い枠11に、放熱性或いは断熱性を有する材料を使用して加熱後のトレーフレーム１に接触したときの安全性を高めたことを特徴とする請求項１〜４の何れか一つに記載の食品加熱配膳器具。
【請求項６】
トレーフレーム１の中板11に、加熱容器２及び非加熱容器３を装着できる複数の開口部12b・12b…を設けると共に、これらの開口部12b・12b…の内、一方の端側開口部12bを除く開口部12b・12bに加熱容器２を装着して残りの開口部12bを通気孔12aとして使用可能としたことを特徴とする請求項１〜５の何れか一つに記載の食品加熱配膳器具。
【請求項７】
トレーフレーム１における複数の開口部12b・12b…が設けられた中板11に対し、一方の端側開口部12bを除く、その他の開口部12b・12bに加熱容器２を落とし込み装着して通気孔12aを形成した後、その状態でトレーフレーム１を通気孔12aの位置が上下で左右反対または対角位置となるように積み重ねて熱気加熱装置４に装着し、その後、トレーフレーム１を積み重ねた段積みフレームＦの最下段フレーム内に、熱気供給装置４から熱気を送り込んで、段積みフレームＦの内部温度を上昇させて加熱容器２に収容された加熱食品Ｐを加熱した後、この段積みフレームＦから取り外した各トレーフレーム１の通気孔12aに非加熱食品Ｑが収容された非加熱容器３を落とし込み装着して配膳を行うことを特徴とする食品加熱配膳方法。
【発明の詳細な説明】
【技術分野】
【０００１】
本発明は、食品加熱配膳器具及び食品加熱配膳方法の改良、詳しくは、多くの加熱食品を効率的に加熱保温して非加熱食品と共に素早く配膳することができ、また、イニシャルコスト及びランニングコストの面でも有利で、しかも、食器としての外観や衛生面で問題が生じることもない食品加熱配膳器具及び食品加熱配膳方法に関するものである。
【背景技術】
【０００２】
周知のとおり、病院や福祉施設、学校などの集団給食では、給食センター等の集中調理施設で作った調理済み食品を各提供場所に配給する給食システムが確立しており、また最近の給食システムにおいては、真空包装された調理食品を喫食時間に合わせて再加熱するクックチル方式の導入が進んでいる。
【０００３】
ところで、本件出願人は、従来から上記給食システムにおいて利用できる配膳用食器の開発を行っており(特許文献１参照)、＜文献１＞に係る配膳用食器を用いれば、集中調理施設で包装した調理食品入りのカップ型容器を食器の開口部に装着するだけで簡単に配膳を行うことができる。
【０００４】
しかしながら、上記配膳用食器を使用する場合には、事前にカップ型容器に入った調理食品を電子レンジや電磁調理器等で再加熱する必要があるものの、カップ型容器を加熱装置から取り出して食器の所定の開口部に装着する作業は非常に手間がかかるため、配膳までに時間がかかって加熱した食品が冷めてしまう心配があった。
【０００５】
一方、上記調理食品を配膳容器に装着した状態で加熱できる大型の加熱装置も存在するが(例えば、特許文献２参照)、このような大型の加熱装置は導入時のイニシャルコストが非常に大きいだけでなく、メンテナンス費用や電気代等のランニングコストも高く付くため、とても気軽に導入できるものではなかった。
【０００６】
また、調理器具の分野においては、複数の鍋を効率的に加熱する構造として、＜特許文献３＞に示すような縦に積み重ねた鍋を上昇する熱気により纏めて加熱する構造も公知となっているが、このような鍋の構造をそのまま配膳用食器に転用すると、熱気を通すための無数の小孔が食器としての外観を損なうだけでなく、小孔内に雑菌等が付着し易くなって衛生面の悪化も懸念された。
【先行技術文献】
【特許文献】
【０００７】
【特許文献１】特開２００５−２１９７８６号公報（第２−８頁、第１−９図）
【特許文献２】特開２００３−１３５１７０号公報（第２−６頁、第１−３図）
【特許文献３】特開平７−１０００６２号公報（第２−５頁、第１１図）
【発明の概要】
【発明が解決しようとする課題】
【０００８】
本発明は、上記の如き問題に鑑みて為されたものであり、その目的とするところは、多くの加熱食品を効率的に加熱保温して非加熱食品と共に素早く配膳を行うことができ、また、イニシャルコスト及びランニングコストの面でも有利で、しかも、食器としての外観や衛生面で問題が生じることもない食品加熱配膳器具及び食品加熱配膳方法を提供することにある。
【課題を解決するための手段】
【０００９】
本発明者が上記課題を解決するために採用した手段を添付図面を参照して説明すれば次のとおりである。
【００１０】
即ち、本発明は、囲い枠11の内側に中板12を備えると共に、この中板12の左右前後の何れかの辺或いは弧の近傍には通気孔12aが形成され、かつ、前記囲い枠11を密閉状態で上下に積み重ね可能なトレーフレーム１と；前記トレーフレーム１の中板12に固定された、或いは中板12の開口部12bに落とし込んで装着可能な、加熱食品Ｐが収容される加熱容器２と；前記トレーフレーム１の中板12の通気孔12aに落とし込んで装着可能な、非加熱食品Ｑが収容される非加熱容器３と；前記トレーフレーム１・１…を積み重ねた段積みフレームＦが装着されて、前記段積みフレームＦの最下段フレーム内に加熱した熱気を供給する熱気供給装置４とを含んで構成し、
前記加熱容器２・２を固定したトレーフレーム１を、通気孔12aの位置が上下で左右反対または対角位置となるように積み重ねて、熱気供給装置４から熱気を送り込んだとき、下段のトレーフレーム１内を回流して充満した熱気を反対側のトレーフレーム１の通気孔12aから上段へと上昇させることにより、段積みフレームＦの内部温度をムラなく上昇可能とすると共に、前記各加熱容器２内の加熱食品Ｐが加熱終了して前記段積みフレームＦから取り外したときには、各トレーフレーム１の通気孔12aに前記非加熱容器３を落とし込み装着して配膳可能とした点に特徴がある。
【００１１】
また本発明は、上記課題を解決するために上記手段に加えて、熱気供給装置４に、段積みフレームＦ内の熱気を最上段フレームから強制的に吸い上げる強制排気機構42を設けることにより、段積みフレームＦの内部温度をムラなく上昇せしめるという技術的手段を採用することができる。
【００１２】
また更に、本発明においては、上記課題を解決するために上記手段に加えて、熱気供給装置４に、段積みフレームＦ内から排気された熱気を加熱源へと循環せしめる熱気循環路43を設けることにより、熱気の生成効率を向上するという技術的手段を採用することができる。
【００１３】
また本発明では、上記課題を解決するために上記手段に加えて、トレーフレーム１の下端部に左右非対称の高台部11bを設けると共に、上端部には逆向きにした他のトレーフレーム１の高台部11bを嵌め合わせ装着できる嵌合縁部11cを設けることにより、トレーフレーム１の向きを間違えずに積み重ねできるようににするという技術的手段を採用することができる。
【００１４】
また本発明は、上記課題を解決するために上記手段に加えて、トレーフレーム１の囲い枠11に放熱性或いは断熱性を有する材料を使用することにより、加熱した後のトレーフレーム１に接触した際の火傷に対する安全性を高めるという技術的手段を採用することができる。
【００１５】
また本発明は、トレーフレーム１の中板11に、加熱容器２及び非加熱容器３を装着できる複数の開口部12b・12b…を設けると共に、これらの開口部12b・12b…の内、一方の端側開口部12bを除く開口部12b・12bに加熱容器２を装着して残りの開口部12bを通気孔12aとして使用するという技術的手段を採用することができる。
【００１６】
また本発明は、上記器具を用いた技術的手段として、トレーフレーム１における複数の開口部12b・12b…が設けられた中板11に対し、一方の端側開口部12bを除く、その他の開口部12b・12bに加熱容器２を落とし込み装着して通気孔12aを形成した後、その状態でトレーフレーム１を通気孔12aの位置が上下で左右反対または対角位置となるように積み重ねて熱気加熱装置４に装着し、その後、トレーフレーム１を積み重ねた段積みフレームＦの最下段フレーム内に、熱気供給装置４から熱気を送り込んで、段積みフレームＦの内部温度を上昇させることによって加熱容器２に収容された加熱食品Ｐを加熱し、この段積みフレームＦから取り外した各トレーフレーム１の通気孔12aに非加熱食品Ｑが収容された非加熱容器３を装着して配膳を行うという方法を採用することができる。
【発明の効果】
【００１７】
本発明では、トレーフレームの中板に加熱食品を収容した食品容器を固定し、このトレーフレームを囲い枠が密閉状態となるように、かつ、中板の一方の端側に設けられた開口部が上下で左右反対になるように積み重ねて、熱気供給装置から段積みフレームの最下段フレーム内に熱気を供給することにより、開口部から熱気を上昇させて段積みフレーム内全体の雰囲気温度をムラなく上昇させることができるため、トレーフレーム内部に固定した多くの加熱食品を効率良く加熱保温することが可能となる。
【００１８】
そして、喫食のタイミングに合わせて、上記段積みフレームから各トレーフレームを取り外し、この取り外したトレーフレームの端側開口部に非加熱食品を収容した非加熱容器を落とし込み装着すれば、配膳を素早く行えるため、加熱した調理食品を熱々の状態で喫食することができる。
【００１９】
一方、本発明器具は、大型の加熱装置に比べて遙かに簡単な構造で作製できるためイニシャルコスト及びランニングコストを格段に低減することができ、これによって使用者の導入時の負担を軽減することもできる。
【００２０】
他方また、加熱時に通気孔として利用したトレーフレームの開口部に非加熱食品の食品容器を装着することにより、配膳時に食器であるトレーフレームに外観的な違和感が生じることはなく、また開口部を食品容器が入る程度に大きく形成したことにより開口部の縁部分の洗浄も簡単に行えるため、衛生面での心配も生じない。
【００２１】
したがって、本発明により、集団給食や飲食業において大量の食品を効率的に加熱保温できるだけでなく、作業の安全性や迅速性、機器導入の容易性、および食器としての機能性にも優れた食品加熱配膳器具を提供できることから、本発明の実用的利用価値は頗る高い。
【図面の簡単な説明】
【００２２】
【図１】本発明の実施例１における食品加熱配膳器具を表わす全体斜視図である。
【図２】本発明の実施例１におけるトレーボックスを表わす全体斜視図である。
【図３】本発明の実施例１におけるトレーボックスを表わす分解斜視図である。
【図４】本発明の実施例１のおけるトレーボックスの変更例を表わす全体斜視図である。
【図５】本発明の実施例１における熱気供給装置を表わす全体斜視図である。
【図６】本発明の実施例１における食品加熱配膳器具の使用状態を表わす状態説明図である。
【図７】本発明の実施例１における配膳時のトレーボックスを表わす全体斜視図である。
【図８】本発明の変形例における積み重ねる向きを間違えないトレーボックスの構造を表わす構造断面図である。
【図９】本発明の実施例２におけるトレーボックスを表わす全体斜視図である。
【図１０】本発明の実施例２におけるトレーボックスの積み重ね状態を表わす状態説明図である。
【図１１】本発明の実施例２におけるトレーボックスの内部構造を表わす説明断面図である。
【図１２】本発明の変形例における熱気供給装置を表わす全体側面図である。
【図１３】本発明の変形例におけるトレーボックスを表わす全体斜視図である。
【発明を実施するための形態】
【００２３】
『実施例１』
本発明の実施例１を、図１から図７に基いて以下に説明する。ちなみに同図において、符号１で指示するものは、トレーフレームであり、符号２で指示するものは、加熱容器である。また、符号３で指示するものは、非加熱容器であり、符号４で指示するものは、熱気供給装置である。
【００２４】
次に、実施例１の構成を以下から説明する。まず実施例１では、横に長い長方形型の囲い枠11の内部に中板12を備えてトレーフレーム１を作製しており、また、このトレーフレーム１は、囲い枠11の上端部と下端部とを嵌め合わせ可能な形状とすることにより囲い枠11を密閉状態に積み重ね可能としている(図１、図２参照)。
【００２５】
そして、上記トレーフレーム１の中板12には、加熱食品Ｐが収容された加熱容器２を二つ並べて固定すると共に、囲い枠11における前記加熱容器２を固定していない側の短辺近傍に通気孔12aを設けている。
【００２６】
なお、上記トレーフレーム１、加熱容器２及び非加熱容器は、何れもプラスチック材料から作製しているが、トレーフレーム１については加熱温度に耐える耐熱性を有する材料を選択し、また加熱容器２については耐熱性に加えて加熱食品Ｐに熱が伝わる伝熱性も有する材料を選択する。
【００２７】
また実施例１では、図３に示すようにトレーフレーム１の中板12に複数の開口部12bを設け、一方の端側の開口部12b(円形状)を除くその他の開口部12b・12bに加熱容器２・２を落とし込み装着することによって、残った開口部12bを通気孔12aとして使用している。
【００２８】
そしてこれにより、トレーフレーム１の中板12に対し加熱容器２を着脱自在な構造とできるため、集中調理施設などで包装された加熱食品Ｐ入りの容器を移し替えることなくそのまま使用することができ、また食後には、加熱容器２を取り外して廃棄又は返却等するだけでよいため、クックチル等の調理システムにおいて非常に使い勝手が良い。
【００２９】
また実施例１では、上記トレーフレーム１の中板12の両端の開口部12b・12bをそれぞれ異なる形状で設けているため、加熱食品Ｐや非加熱食品Ｑの種類によって使用する加熱容器２及び非加熱容器３の組合せを変えたい場合には、図４に示すように反対側の開口部12b(角形状)を通気孔12aに選択することもできる。
【００３０】
また実施例１では、上記トレーフレーム１の中板12について、囲い枠11の内側段部11aに載置するだけの分解可能な構造を採用しているため、トレーフレーム１を洗う際に便利であり、また、トレーフレーム１の中板12の通気孔12aも、非加熱容器３が入る程度の大きさに形成しているため、孔の内側まで指を入れてしっかりと洗うことができる。
【００３１】
一方、実施例１では、上記トレーフレーム１・１…を積み重ねた状態の段積みフレームＦを載置して、最下段フレームに熱気を供給できる熱気供給装置４を、電磁加熱(ＩＨ)式ヒータを加熱源41に用いて作製している(図５参照)。
【００３２】
そして、上記熱気供給装置４に、加熱容器２・２を固定したトレーフレーム１を、通気孔12aの位置が上下で左右反対となるように積み重ねて装着すれば、加熱源41から最下段フレーム内に送り込んだ熱気を、下段のトレーフレーム１内を回流させながら、上段のトレーフレーム１内へと通気孔12aを通って順次上昇させることができるため、段積みフレームＦ内全体の雰囲気温度をムラなく上昇させることが可能となる(図６参照)。
【００３３】
またこれにより、トレーフレーム１に固定された多くの加熱容器２・２…を効率的に加熱保温することができ、実施例１においては、熱気供給装置４に対して２個の加熱容器を固定できるトレーフレーム１を５段積みした段積みフレームＦを二列装着していることから、計２０個の加熱容器２・２…を同時に加熱することができる。
【００３４】
そして、配膳時には、喫食のタイミングに合わせて、上記熱気供給装置４に装着された段積みフレームＦから各トレーフレーム１を取り外し、図７に示すようにトレーフレーム１の通気孔12aに非加熱食品Ｑが収容された非加熱容器３を落とし込んで装着すれば配膳を素早く迅速に行うことができる。
【００３５】
また実施例１においては、トレーフレーム１の囲い枠11に放熱性の高いプラスチック材料を使用しているため、加熱後のトレーフレーム１に作業者が触れても火傷するような心配はなく、安全に配膳作業を行うことができる。なお、トレーフレーム１の囲い枠11に断熱性に優れた材料や構造を採用した場合にも同様の効果を得ることができる。
【００３６】
また、上記配膳時のトレーフレーム１は、通気孔12aに非加熱食品３が装着されて形態的な違和感を生じることもないため、食品の見栄えに影響を与える食器の外観が損なわれることもない。
【００３７】
また実施例１では、熱気供給装置４に、段積みフレームＦの最上段フレーム側から熱気を吸い上げて強制的に排出できるクロスフローファンを強制排気機構42として設けたことにより、段積みフレームＦ内に供給した熱気を最上段フレームまで高速に引き上げて上段フレームを供給時と略同じ高温の熱気で満たすことが可能となるため、段積みフレームＦの上下段の内部温度のムラも解消できる。
【００３８】
そして更に、上記熱気供給装置４には、強制排気機構42から排出された熱気を加熱源41へと循環させる熱気循環路43を設けているため、この排出された熱気を再加熱することにより液体や低温の空気、蒸気などを一から加熱するよりも遙かに効率良く段積みフレームＦに供給する高温熱気を生成することができる。
【００３９】
なお、上記熱気供給装置４においては、温度制御部44によって生成される熱気の温度を調節可能としているため、加熱食品Ｐに対し100℃以上の高温の加熱を行った後、熱気温度を下げて60℃前後で加熱食品Ｐを保温することも可能である。
【００４０】
また、上記熱気供給装置４は、スチームコンベクションなどの大型の加熱装置に比べて遙かに簡単な構造で作製できるため、イニシャルコストやランニングコストも抑えることができる。
【００４１】
また上記トレーフレーム１の積み重ね作業に関しては、図８に示すように囲い枠11の下端部に左右の高さが異なる高台部11b’・11bを設けると共に、上端部には逆向きにした他の囲い枠11の高台部11b・11b’を嵌め合わせ可能な嵌合縁部11c・11c’を設ければ、向きを間違えずに素早くトレーフレーム１を積みかねることができる。
【００４２】
また、上記のようにトレーフレーム１の向きが決まる構造を採用した場合において、囲い枠11から中板12を着脱自在にする場合には、左右の内側段部11a’・11aの形状を変えるなどして囲い枠11に対して中板12が一定の向きとなるように工夫する必要がある。
【００４３】
次に、実施例２について図９〜図１１に基いて以下に説明する。実施例２では、トレーフレーム１を松花堂弁当のように仕切り板13で３×３マスに区切って作製しており、全９マス中、角隅に位置する一つのマス内に通気孔12aを設けている(図９参照)。
【００４４】
また、上記トレーフレーム１の仕切り板13には下部に窓孔13a・13a…を設けて通気路を作出すると共に、当該トレーフレーム１を通気孔12の位置が対角位置にくるように積み重ねて熱気供給装置４に装着することにより、この通気路に熱気を通してトレーフレーム１内をムラなく加熱することができる(図１０参照)。
【００４５】
また、上記トレーフレーム１の残りの８マス内には、低めに配置した中板12上に加熱容器２の底部を接着して固定する一方、通気孔12aに対しては、図１１(a)に示すように非加熱容器３を落とし込み図１１(b)に示すように高台を嵌め合わせた状態で装着可能としている。
【００４６】
本発明は、概ね上記のように構成されるが、本発明は図示の実施形態に限定されるものでは決してなく、「特許請求の範囲」の記載内において種々の変更が可能であって、例えば、トレーボックス１の形状は、四角形以外の多角形や円形状であってもよく、円形状とする場合には、中板12の左右前後の何れかの弧の近傍に通気孔12aを設け、この通気孔12aが左右反対位置になるようにトレーボックス１を積み重ねて熱気供給装置４に設置する。
【００４７】
また、熱気供給装置４に関しては、図１２(a)に示すように熱気循環路43を伸縮可能な構造とすることにより、図１２(b)に示すように熱気循環路43を伸ばして設置できるトレーフレーム１の数を増やすこともできる。
【００４８】
そしてまた、トレーフレーム１・１を積み重ねる向きを間違えないようにする手段としては、図１３に示すように囲い枠11の一方の側面に施設名などを記載したマーク部11dを設けて、このマーク部11dが一段飛びで表れるように又は上下段のマーク部11d・11dの組合せによって正しい向きが分かるようにしてもよく、またこれによって積み上げた後に間違いがないことを再確認することも容易となる。また他にも、トレーフレーム１の囲い枠11の高台部11bや嵌合縁部11cに磁石を埋め込んで向きを一定にする工夫も可能である。。
【００４９】
他方また、加熱容器２や非加熱容器４の材質や形状については、集団給食以外の用途(例えば、居酒屋の突出しなど)に合わせて自由に設計変更することができ、上記何れのものも本発明の技術的範囲に属する。
【産業上の利用可能性】
【００５０】
最近では、食の安全性に対する意識が高まったことにより、学校や病院、福祉施設などの集団給食においても、できるだけ多くの費用を食材にかけられるように調理等での人件費を削減できる調理システムが求められており、その中でも、喫食のタイミングに合わせて食品を再加熱することで美味しく料理を食すことのできるクックチルは人気が高い。
【００５１】
そのような中で、本発明の食品加熱配膳器具及び食品加熱配膳方法は、上記クックチルにおいても利用可能で、また飲食店のお通し等でも配膳時間の短縮及び器材費の低コスト化を図れる有用な技術であることから、市場における需要は大きく、その産業上の利用価値は非常に高い。
【符号の説明】
【００５２】
１  トレーフレーム
11  囲い枠
11a  内側段部
11b  高台部
11c  嵌合縁部
11d  マーク部
12  中板
12a  通気孔
12b  開口部
13  仕切り板
13a  窓孔
２  加熱容器
３  非加熱容器
４  熱気供給装置
41  加熱源
42  強制排気機構
43  熱気循環路
44  温度制御部
Ｐ  加熱食品
Ｑ  非加熱食品
Ｆ  段積みフレーム
【図１】
2011036298.tif 000003
【図２】
2011036298.tif 000004
【図３】
2011036298.tif 000005
【図４】
2011036298.tif 000006
【図５】
2011036298.tif 000007
【図６】
2011036298.tif 000008
【図７】
2011036298.tif 000009
【図８】
2011036298.tif 000010
【図９】
2011036298.tif 000011
【図１０】
2011036298.tif 000012
【図１１】
2011036298.tif 000013
【図１２】
2011036298.tif 000014
【図１３】
2011036298.tif 000015